(57)【要約】      （修正有）【課題】検品処理と二次検品とで判定が異なったとしても、後に実行される印刷ジョブのために画像形成装置に適正な判定基準をフィードバックすることができる画像形成装置を提供する。【解決手段】画像形成装置は、シートＰ１に画像を形成する画像形成装置本体３と、画像形成装置本体３の後段側に設けられ、画像形成装置本体３によりシートＰ１に形成された画像を読み取る画像読取装置５と、画像形成装置本体３及び画像読取装置５を制御する制御部３０１と、を備える。制御部３０１は、画像読取装置５による画像の読取結果である読取画像の一次検品の判定基準をユーザーの目視による二次検品の二次検品結果に応じて変更する。【選択図】図２
2020184687.tif 000002
【特許請求の範囲】
【請求項１】
シートに画像を形成する画像形成装置本体と、
前記画像形成装置本体の後段側に設けられ、前記画像形成装置本体により前記シートに形成された画像を読み取る画像読取装置と、
前記画像形成装置本体及び前記画像読取装置を制御する制御部と、
を備える画像形成装置であって、
前記制御部は、
前記画像読取装置による画像の読取結果である読取画像の一次検品の判定基準をユーザーの目視による二次検品の二次検品結果に応じて変更する、
画像形成装置。
【請求項２】
前記ユーザーによる操作内容を受け付ける設定部、
をさらに備え、
前記制御部は、
前記一次検品の一次検品結果が正常と判定され、且つ前記二次検品結果が異常と判定されたものを前記設定部が受け付けた場合、前記判定基準を前記二次検品結果に合わせる、
請求項１に記載の画像形成装置。
【請求項３】
前記制御部は、
前記一次検品結果が異常と判定され、且つ前記二次検品結果が正常と判定されたものを前記設定部が受け付けた場合、前記判定基準を前記二次検品結果に合わせる、
請求項２に記載の画像形成装置。
【請求項４】
前記制御部は、
前記画像読取装置により前記二次検品が行われた前記シートを読み取らせた読取結果に応じて、前記シートのうち前記二次検品結果のページを特定する、
請求項２又は３に記載の画像形成装置。
【請求項５】
前記画像形成装置本体の上部に設けられ、前記シートに形成された画像を読み取る原稿画像走査装置、
をさらに備え、
前記制御部は、
前記原稿画像走査装置により前記二次検品が行われた前記シートを読み取らせた読取結果に応じて、前記シートのうち前記二次検品結果のページを特定する、
請求項２又は３に記載の画像形成装置。
【請求項６】
前記制御部は、
前記設定部により受け付けた前記操作内容に応じて、前記シートのうち前記ページを特定する、
請求項４又は５に記載の画像形成装置。
【請求項７】
前記制御部は、
前記画像形成装置本体により前記シートに形成された画像が前記画像読取装置により読み取られている場合、前記原稿画像走査装置により前記シートのうち前記ページを特定する、
請求項５に記載の画像形成装置。
【請求項８】
前記制御部は、
前記画像形成装置本体により前記シートに形成された画像が前記画像読取装置により読み取られている場合、前記設定部により前記シートのうち前記ページを特定する、
請求項６に記載の画像形成装置。
【請求項９】
前記制御部は、
前記画像形成装置本体により前記シートに形成された画像が前記画像読取装置により読み取られていない場合、前記画像読取装置により前記シートのうち前記ページを特定する、
請求項４に記載の画像形成装置。
【請求項１０】
前記制御部は、
前記設定部により受け付けた前記操作内容に前記判定基準を前記二次検品結果に応じて変更する処理が設定時間で実行される内容が含まれている場合、前記設定時間に前記判定基準を前記二次検品結果に応じて変更する、
請求項２〜９の何れか一項に記載の画像形成装置。
【請求項１１】
前記設定部は、
前記二次検品結果に該当する画像に対応する領域及び問題の種類の少なくとも一方を受け付ける、
請求項２〜１０の何れか一項に記載の画像形成装置。
【請求項１２】
前記設定部は、
前記一次検品結果で異常と判定された画像を含む領域を、前記一次検品結果で正常と判定された画像を含む領域とは異なる態様で表示させる、
請求項１１に記載の画像形成装置。
【請求項１３】
前記設定部は、
前記判定基準として、前記問題の種類に対応する判定レベルの変更を受け付ける、
請求項１１又は１２に記載の画像形成装置。
【請求項１４】
前記設定部は、
前記一次検品結果で正常と判定された画像を含む領域を前記判定レベルの変更に応じたものに変更する、
請求項１３に記載の画像形成装置。
【請求項１５】
前記制御部は、
前記設定部により受け付けられた印刷ジョブにより前記シートに形成された画像の前記画像読取装置による前記読取画像につき、前記判定基準を前記二次検品結果に応じて変更する、
請求項２〜１４の何れか一項に記載の画像形成装置。
【請求項１６】
前記制御部は、
前記一次検品を実行する場合、前記印刷ジョブと、前記判定基準とを関連付ける、
請求項１５に記載の画像形成装置。
【請求項１７】
シートに画像を形成する画像形成装置本体と、
前記画像形成装置本体の後段側に設けられ、前記画像形成装置本体により前記シートに形成された画像を読み取る画像読取装置と、
を備える画像形成装置により実行される画像形成方法であって、
前記画像読取装置による画像の読取結果である読取画像の一次検品の判定基準をユーザーの目視による二次検品の二次検品結果に応じて変更するステップ、
を含む、画像形成方法。
【請求項１８】
シートに画像を形成する画像形成装置本体と、
前記画像形成装置本体の後段側に設けられ、前記画像形成装置本体により前記シートに形成された画像を読み取る画像読取装置と、
を備える画像形成装置を制御するコンピュータを、
前記画像読取装置による画像の読取結果である読取画像の一次検品の判定基準をユーザーの目視による二次検品の二次検品結果に応じて変更する制御部、
として機能させるための、プログラム。
【発明の詳細な説明】
【技術分野】
【０００１】
本開示は、画像形成装置、画像形成方法及びそのプログラムに関する。
【背景技術】
【０００２】
画像形成装置本体から搬送されるシートに印刷されている画像を読み取り、画像の品質を検査する検品処理を行うものが提案されている（例えば、特許文献１参照）。
【先行技術文献】
【特許文献】
【０００３】
【特許文献１】特開２０１８−０３６２７９号公報
【発明の概要】
【発明が解決しようとする課題】
【０００４】
しかし、特許文献１に記載のような従来技術であっても、印刷物の品質を確保するためには、検品処理により正常と判定された印刷物は、ユーザーの目視チェックによる二次検品が行われている。この結果、検品処理により正常と判定された印刷物であっても、二次検品により異常と判定されることがある。一方、検品処理により異常と判定された印刷物であっても、二次検品により正常と判定されることもある。このように、検品処理による一次検品とユーザーによる二次検品とで判定が異なったとしても、特許文献１に記載のような従来技術には、後に実行される印刷ジョブのために一次検品と二次検品との違いを画像形成装置にフィードバックするための機能が存在しないのが現状である。
【０００５】
本開示はこのような状況に鑑みてなされたものであり、一次検品と二次検品とで判定が異なったとしても、後に実行される印刷ジョブのために画像形成装置に適正な判定基準をフィードバックすることができるようにするものである。
【課題を解決するための手段】
【０００６】
本開示の一側面である画像形成装置は、シートに画像を形成する画像形成装置本体と、前記画像形成装置本体の後段側に設けられ、前記画像形成装置本体により前記シートに形成された画像を読み取る画像読取装置と、前記画像形成装置本体及び前記画像読取装置を制御する制御部と、を備える画像形成装置であって、前記制御部は、前記画像読取装置による画像の読取結果である読取画像の一次検品の判定基準をユーザーの目視による二次検品の二次検品結果に応じて変更する。
【発明の効果】
【０００７】
本開示の一側面によれば、一次検品と二次検品とで判定が異なったとしても、後に実行される印刷ジョブのために画像形成装置に適正な判定基準をフィードバックすることができる。
【図面の簡単な説明】
【０００８】
【図１】本開示の実施形態に係る画像形成装置１の全体構成例を示す図である。
【図２】本開示の実施形態に係る画像形成装置１の機能構成例を示す図である。
【図３】本開示の実施形態に係る表示部３６ａに表示される二次検品モードのユーザーインターフェースの一例を示す図である。
【図４】本開示の実施形態に係る表示部３６ａに表示される二次検品モードに含まれる２つのモードのユーザーインターフェースの一例を示す図である。
【図５】本開示の実施形態に係る表示部３６ａに表示される二次検品モードに含まれる二次検品ＮＧモードが選択された場合のユーザーインターフェースの一例を示す図である。
【図６】本開示の実施形態に係る表示部３６ａに表示される二次検品ＮＧモード時にＮＧ領域が選択されている状態のユーザーインターフェースの一例を示す図である。
【図７】本開示の実施形態に係る表示部３６ａに表示される二次検品ＮＧモード時にＮＧ領域が選択されている状態で判定レベルの変更を受け付ける状態のユーザーインターフェースの一例を示す図である。
【図８】本開示の実施形態に係る表示部３６ａに表示される二次検品ＮＧモード時にＮＧ領域が選択されている状態で判定レベルの変更を自動決定する状態のユーザーインターフェースの一例を示す図である。
【図９】本開示の実施形態に係る表示部３６ａに表示される二次検品ＮＧモード時に判定レベルを自動調整する状態のユーザーインターフェースの一例を示す図である。
【図１０】本開示の実施形態に係る表示部３６ａに表示される二次検品モードに含まれる二次検品ＯＫモードが選択された場合のユーザーインターフェースの一例を示す図である。
【図１１】本開示の実施形態に係る表示例３６ａに表示される二次検品ＯＫモード時にＮＧ判定されたものからＯＫとしたい領域を選択させる状態のユーザーインターフェースの一例を示す図である。
【図１２】本開示の実施形態に係る表示部３６ａに表示される二次検品ＯＫモード時にＮＧ領域が選択されている状態のユーザーインターフェースの一例を示す図である。
【図１３】本開示の実施形態に係る表示部３６ａに表示される二次検品モードを適用するジョブの選択を受け付ける状態のユーザーインターフェースの一例を示す図である。
【図１４】本開示の実施形態に係る画像形成装置１の制御例を説明するフローチャートである。
【図１５】本開示の実施形態に係る二次検品ＮＧモード処理を説明するフローチャートである。
【図１６】本開示の実施形態に係る二次検品ＯＫモード処理を説明するフローチャートである。
【図１７】本開示の実施形態に係る二次検品ＮＧモード処理の第１の変形例を説明するフローチャートである。
【図１８】本開示の実施形態に係る二次検品ＮＧモード処理の第２の変形例を説明するフローチャートである。
【図１９】本開示の実施形態に係る二次検品ＯＫモード処理の第３の変形例を説明するフローチャートである。
【図２０】本開示の実施形態に係る二次検品ＮＧモード処理の第４の変形例を説明するフローチャートである。
【発明を実施するための形態】
【０００９】
以下、図面に基づいて本開示の実施形態を説明するが、本開示は以下の実施形態に限られるものではない。
【００１０】
図１は、本開示の実施形態に係る画像形成装置１の全体構成例を示す図である。画像形成装置１は、画像形成装置本体３、ペーパーインサーター４、画像読取装置５、排紙装置６及び排紙装置７を備える。画像形成装置本体３は、詳細については後述するが、少なくとも画像形成部３４を備える。つまり、画像形成装置１は、画像形成部３４を備える。画像形成装置本体３の後段側には、ペーパーインサーター４、画像読取装置５、排紙装置６及び排紙装置７が配置されている。ペーパーインサーター４は、詳細については後述するが、少なくとも給紙経路４２を備える。画像読取装置５は、詳細については後述するが、少なくとも検品部５０を備える。検品部５０は、画像形成部３４から搬送されるシートＰ１又は給紙経路４２から搬送される印刷物Ｐ２を検品する。シートＰ１又は印刷物Ｐ２は、検品部５０による検品の対象物である。
【００１１】
画像形成装置本体３は、給紙部３１に載置されるシートＰ１に画像を形成する画像形成部３４を備える。シートＰ１は、例えば単票紙のような枚葉紙である。画像形成装置本体３は、上部に設定部３６を備える。設定部３６は、表示部３６ａと、操作部３６ｂとを備え、操作部３６ｂを介してユーザーの操作を受け付けると共に、表示部３６ａにより情報を表示するものであって、例えば検品処理を受け付け、検品結果を表示する。なお、設定部３６は、例えば、表示部３６ａが液晶ディスプレイから形成され、操作部３６ｂがタッチパネルから形成されたタッチパネルディスプレイとして構成されている。画像形成装置本体３上には、原稿を自動的に読み込む自動原稿給紙装置３８ａ及び原稿画像走査装置３８ｂを備える。原稿画像走査装置３８ｂは、プラテンガラスを介して画像の読み取りが可能である。原稿画像走査装置３８ｂは、例えば原稿の画像を読み取り、画像形成部３４による画像の形成に利用される。画像形成部３４は、搬送経路３２上に設けられている。給紙部３１に載置されているシートＰ１は繰り出されると、複数の搬送ローラー３７により搬送方向Ｋに沿って搬送経路３２上を経由し、画像形成部３４に向かって搬送される。画像形成部３４は、シアン、マゼンタ、イエロー及びブラック等のような各色用にそれぞれ用意された感光体３４ｄを備え、それぞれの感光体３４ｄの周囲には帯電装置３４ａ、露光装置３４ｂ、及び現像装置３４ｃが設けられている。
【００１２】
帯電装置３４ａにより帯電した感光体３４ｄの表面は、印刷ジョブの原稿画像データに基づき、露光装置３４ｂにより像の露光が行われ、静電潜像が形成される。静電潜像は、現像装置３４ｃにより現像されてトナー像となる。トナー像は、中間転写ベルト３４ｅに転写される。中間転写ベルト３４ｅに転写されたトナー像は、二次転写ローラー３４ｆでシートＰ１に圧着されて転写される。二次転写ローラー３４ｆで圧着されて転写されたトナー像は、定着部３５により加熱及び加圧されてシートＰ１に定着し、その結果、画像形成装置本体３でシートＰ１に画像が形成される。つまり、画像形成部３４は、電子写真プロセスによる画像形成を行うことで、シートＰ１に画像を転写させる。なお、感光体３４ｄの周囲には、ドラムクリーニング装置３４ｇが設けられている。ドラムクリーニング装置３４ｇは、中間転写ベルト３４ｅに残る残留トナーを除去するものである。なお、両面に画像を形成する場合、一方の面に画像が形成された状態のシートＰ１が循環経路３３を介して搬送され、再度画像形成部３４に搬送されることで、他方の面に画像を形成させることができる。制御部３０１は、不図示のＣＰＵ、ＲＯＭ、ＲＡＭ及びＩ／Ｏインターフェース等を備える。ＣＰＵは、ＲＯＭから処理内容に応じてプログラムを読み出してＲＡＭに展開し、展開したプログラムと協働して画像形成装置本体３の動作を制御する。
【００１３】
ペーパーインサーター４は、画像形成装置本体３の後段側且つ画像読取装置５の前段側に配置され、画像形成装置本体３を経由せずに、給紙トレイ４１に載置された印刷物Ｐ２を画像読取装置５に給紙可能である。ペーパーインサーター４は、上部に給紙トレイ４１を備え、内部に給紙経路４２、搬送経路４３、複数の搬送ローラー４４及び制御部４０１を備える。給紙経路４２は、画像形成部３４を迂回して設けられ、搬送ローラー４４によって、給紙トレイ４１に載置されている印刷物Ｐ２を搬送経路４３に搬送する。制御部４０１は、不図示のＣＰＵ、ＲＯＭ、ＲＡＭ及びＩ／Ｏインターフェース等を備える。ＣＰＵは、ＲＯＭから処理内容に応じてプログラムを読み出してＲＡＭに展開し、展開したプログラムと協働してペーパーインサーター４の動作を制御する。
【００１４】
画像読取装置５は、検品部５０、搬送経路５１、複数の搬送ローラー５２、第１の温度検知部５８、第２の温度検知部５９Ａ、第２の温度検知部５９Ｂ及び制御部５０１を備える。検品部５０は、背景部材５４Ａ、背景部材５４Ｂ、第１のスキャナー５６Ａ及び第２のスキャナー５６Ｂを備える。なお、背景部材５４Ａ及び背景部材５４Ｂを総称する場合、背景部材５４と称する。第１のスキャナー５６Ａ及び第２のスキャナー５６Ｂを含めてスキャナー部５６と称する。第２の温度検知部５９Ａ及び第２の温度検知部５９Ｂを総称して第２の温度検知部５９と称する。搬送経路５１は、シートＰ１又は印刷物Ｐ２が通過する経路である。搬送ローラー５２は、シートＰ１又は印刷物Ｐ２を搬送する。第１のスキャナー５６Ａは、シートＰ１又は印刷物Ｐ２の裏面を読み取る位置に配置され、対象物の裏面画像を読み取る。第１のスキャナー５６Ａの読取結果は、例えば、シートＰ１に形成されている画像又は印刷物Ｐ２に印刷されている画像の表裏面のずれのチェック又は想定外の画像の有無等のチェックに利用されてもよい。一方、第２のスキャナー５６Ｂは、シートＰ１又は印刷物Ｐ２の表面を読み取る位置に配置され、対象物の表面画像を読み取る。具体的には、第２のスキャナー５６Ｂは、シートＰ１に形成されている画像又は印刷物Ｐ２に印刷されている画像を読み取るものである。第２のスキャナー５６Ｂは、シートＰ１又は印刷物Ｐ２が搬送されるにつれ、シートＰ１又は印刷物Ｐ２の進行方向に直交する直交方向、すなわち主走査方向に沿って、シートＰ１に形成されている画像又は印刷物Ｐ２に印刷されている画像の色を読み取る。
【００１５】
制御部５０１は、不図示のＣＰＵ、ＲＯＭ、ＲＡＭ及びＩ／Ｏインターフェース等を備える。ＣＰＵは、ＲＯＭから処理内容に応じてプログラムを読み出してＲＡＭに展開し、展開したプログラムと協働して画像読取装置５の動作を制御する。制御部５０１は、設定された処理が実行される動作モードに応じて、検品部５０を制御する。制御部５０１は、動作モードが第１モードである場合、対象物として、画像形成部３４から搬送されたシートＰ１に形成されている画像を検品部５０に検知させる。制御部５０１は、動作モードが第２モードである場合、対象物として、給紙経路４２から搬送された印刷物Ｐ２に印刷されている画像を検品部５０に検知させる。制御部５０１は、動作モードが第１モードである場合、検品部５０に対象物を搬送する搬送速度を画像形成部３４によるシートＰ１の搬送速度に合わせる。制御部５０１は、動作モードが第２モードである場合、検品部５０に対象物を搬送する搬送速度を画像形成部３４によるシートＰ１の搬送速度よりも遅らせる。例えば、制御部５０１は、搬送ローラー５２の回転数を搬送ローラー３７の回転数よりも下げる制御をすることで、対象物を搬送する搬送速度を制御すればよい。
【００１６】
検品部５０は、スキャナー部５６により読み取らせた対象物にある画像に対応する検品画像データと、検品基準となる正解画像データと、に基づき、対象物を検品する。正解画像データは、動作モードが第１モード及び第２モードの何れかで異なる。制御部５０１は、動作モードが第１モードである場合、原稿画像データに基づき画像形成部３４によりシートＰ１に形成された画像のうち、１番目のものをスキャナー部５６により読み取らせたものを正解画像データとする。制御部５０１は、動作モードが第２モードである場合、原稿画像データを正解画像データとする。原稿画像データは、印刷ジョブに含まれるものから抽出されたものであって、シートＰ１に形成する画像を特定する情報が定義されたものである。よって、制御部５０１は、原稿画像データに基づき、対象物の両面及び片面の何れかの読み取り動作をスキャナー部５６に実行させる。具体的には、制御部５０１は、対象物の両面の読み取り動作を実行させる場合、第１のスキャナー５６Ａ及び第２のスキャナー５６Ｂの両方を駆動させる。制御部５０１は、対象物の片面の読み取り動作を実行させる場合、第１のスキャナー５６Ａ及び第２のスキャナー５６Ｂの何れか一方を駆動させる。
【００１７】
なお、検品部５０により対象物を検品するとき、室温と、スキャナー部５６で読み取るときの画像の温度とで温度差が大きければ、サーモクロミズム現象により色の変動が大きくなる。よって、サーモクロミズム現象が想定される場合には、サーモクロミズム補正を行うのが好ましい。具体的には、制御部５０１は、画像形成装置１の周囲温度を検知する第１の温度検知部５８により検知された周囲温度と、対象物の表面温度を検知する第２の温度検知部５９により検知された表面温度と、に基づき、スキャナー部５６により読み取られた検品画像データのサーモクロミズム補正を行う。より具体的には、制御部５０１は、周囲温度と、表面温度との差異が予め設定された温度範囲を超える場合、サーモクロミズム補正による補正量を決定する。なお、画像形成部３４から搬送されたシートＰ１は、定着部３５を通過しているため、熱が付与されている。よって、サーモクロミズム補正が必要である。つまり、制御部５０１は、動作モードが第１モードである場合、表面温度に応じて、サーモクロミズム補正を行う。
【００１８】
ところで、検品処理の結果に応じて検品された対象物の載置先が異なれば、ユーザーの作業性は向上する。つまり、動作モードが第１モード又は第２モードで検品部５０により検品された対象物を排出する排出先が設けられているのが好ましい。そこで、排出先について具体的に説明する。排紙装置６は、搬送経路６１ａ〜６１ｃ、複数の搬送ローラー６２、パージトレイ６４及び制御部６０１を備える。搬送経路６１ａ〜６１ｃを総称する場合、搬送経路６１と称する。パージトレイ６４は、排紙装置６の上部に設けられ、搬送経路６１ｃにより搬送されるシートＰ１又は印刷物Ｐ２の排出先となる。搬送経路６１ａは、搬送ローラー６２の駆動によって、画像読取装置５から搬送されたシートＰ１又は印刷物Ｐ２を排紙装置７に搬送する。搬送経路６１ｂは、搬送ローラー６２の駆動によって、画像読取装置５から搬送されたシートＰ１又は印刷物Ｐ２を搬送経路６１ｃに搬送する。搬送経路６１ｃは、搬送ローラー６２の駆動によって、搬送経路６１ｂから搬送されたシートＰ１又は印刷物Ｐ２をパージトレイ６４に搬送する。制御部６０１は、不図示のＣＰＵ、ＲＯＭ、ＲＡＭ及びＩ／Ｏインターフェース等を備える。ＣＰＵは、ＲＯＭから処理内容に応じてプログラムを読み出してＲＡＭに展開し、展開したプログラムと協働して排紙装置６の動作を制御する。
【００１９】
排紙装置７は、排紙経路７１、複数の排紙ローラー７２、駆動部７３、メイントレイ７４＿１、メイントレイ７４＿２及び制御部７０１を備える。メイントレイ７４＿１及びメイントレイ７４＿２を総称する場合、メイントレイ７４と称する。メイントレイ７４＿１及びメイントレイ７４＿２は、駆動部７３によって、上下方向に移動可能であり、排紙経路７１により搬送されるシートＰ１又は印刷物Ｐ２の排出先となる。排紙経路７１は、排紙ローラー７２の駆動によって、排紙装置６から搬送されるシートＰ１又は印刷物Ｐ２をメイントレイ７４に排出する。制御部７０１は、不図示のＣＰＵ、ＲＯＭ、ＲＡＭ及びＩ／Ｏインターフェース等を備える。ＣＰＵは、ＲＯＭから処理内容に応じてプログラムを読み出してＲＡＭに展開し、展開したプログラムと協働して排紙装置７の動作を制御する。
【００２０】
換言すれば、排紙装置６及び排紙装置７により、検品部５０により検品された対象物を排出する複数の排出先が構成される。そこで、検品部５０は、対象物のうち、検品結果がヤレ紙Ｐ＿Ｆであるものを複数の排出先の一部に排出させる。検品部５０は、対象物のうち、検品結果が正常紙Ｐ＿Ｔであるものを複数の排出先の他の一部に排出させる。例えば、ヤレ紙Ｐ＿Ｆをパージトレイ６４に排出させることもできる。また、正常紙Ｐ＿Ｔをメイントレイ７４に排出させることもできる。
【００２１】
なお、制御部２０１、制御部３０１、制御部４０１、制御部５０１、制御部６０１及び制御部７０１のそれぞれは、画像形成装置１の動作を制御する。よって、次に具体的に説明する検品処理は、上記で概略的に説明したように、制御部５０１が制御主体となるだけでなく、制御部２０１、制御部３０１、制御部４０１、制御部６０１、及び制御部７０１の何れが制御主体となってもよい。
【００２２】
図２は、本開示の実施形態に係る画像形成装置１の機能構成例を示す図である。図２に示すように、制御部３０１は、ジョブ制御部３０１ａ、エンジン制御部３０１ｂ、読取画像取得部３０１ｃ、ユーザー検品結果受付部３０１ｄ及び閾値制御部３０１ｅのそれぞれの機能を実現する。ジョブ制御部３０１ａは、二次検品モードを実行する印刷ジョブを設定し、エンジン制御部３０１ｂに通知する。エンジン制御部３０１ｂは、ジョブ制御部３０１ａから通知された印刷ジョブに応じて、エンジン制御、すなわち、画像形成部３４の制御を開始する。読取画像取得部３０１ｃは、ペーパーインサーター４から取り込ませた二次検品用の印刷物Ｐ２を画像読取装置５により読み取らせ、画像読取装置５により印刷物Ｐ２を読み取らせた結果である読取画像を表示部３６ａに表示させる。ユーザー検品結果受付部３０１ｄは、操作部３６ｂの操作内容を受け付け、閾値制御部３０１ｅに通知する。閾値制御部３０１ｅは、ユーザー検品結果受付部３０１ｄから通知された操作内容に基づき、一次検品の判定基準を変更する。
【００２３】
図３は、本開示の実施形態に係る表示部３６ａに表示される二次検品モードのユーザーインターフェースの一例を示す図である。操作部３６ｂの操作内容に応じて、二次検品モードが開始される。図４は、本開示の実施形態に係る表示部３６ａに表示される二次検品モードに含まれる２つのモードのユーザーインターフェースの一例を示す図である。なお、以降の図において、ＮＧは検品結果が異常であることを意味し、ＯＫは検品結果が正常であることを意味する。ここでいう検品結果は、一次検品結果又は二次検品結果である。二次検品ＮＧモード選択部８ａが操作された場合、一次検品で正常と判定されたものを二次検品で異常と判定した場合のモードであって、二次検品ＮＧモードと称するモードが実行される。二次検品ＯＫモード選択部８ｂが操作された場合、一次検品で異常と判定されたものを二次検品で正常と判定した場合のモードであって、二次検品ＯＫモードと称するモードが実行される。
【００２４】
次に、二次検品ＮＧモード選択部８ａが操作された場合の処理について、図５〜図９を用いて説明する。図５は、本開示の実施形態に係る表示部３６ａに表示される二次検品モードに含まれる二次検品ＮＧモードが選択された場合のユーザーインターフェースの一例を示す図である。片面選択部８ｃ及び両面選択部８ｄの何れか一方が選択されてから読取開始選択部８ｅが選択される。読取開始選択部８ｅは、読取開始ボタンとして機能するものである。図６は、本開示の実施形態に係る表示部３６ａに表示される二次検品ＮＧモード時にＮＧ領域が選択されている状態のユーザーインターフェースの一例を示す図である。読取画像表示領域８ｆにはＮＧと判定した領域として選択領域８ｆ１が選択され、問題種類選択部８ｇから画像が異常と判定された問題の種類が選択可能である。
【００２５】
図７は、本開示の実施形態に係る表示部３６ａに表示される二次検品ＮＧモード時にＮＧ領域が選択されている状態で判定レベルの変更を受け付ける状態のユーザーインターフェースの一例を示す図である。問題の種類として例えば濃度が選択され、濃度の判定レベルが判定レベル調整部８ｈにより調整される。この結果、選択領域８ｆ１は、正常とは異なる態様となり、例えば、ハッチング表示される。これにより、ユーザーに判定レベルが適正になったことを報知できる。表示画面次ページ選択部８ｉが操作されると、図８に示す画面に遷移する。
【００２６】
図８は、本開示の実施形態に係る表示部３６ａに表示される二次検品ＮＧモード時にＮＧ領域が選択されている状態で判定レベルの変更を自動決定する状態のユーザーインターフェースの一例を示す図である。自動決定選択部８ｊが選択されると、判定レベルは自動的に調整される。また、ページを指定して判定レベルを調整することもできる。図９は、本開示の実施形態に係る表示部３６ａに表示される二次検品ＮＧモード時に判定レベルを自動調整する状態のユーザーインターフェースの一例を示す図である。図９の一例では、前ページ検索部８ｍ及び次ページ検索部８ｎにより指定したページの読取画像を表示させ、自動判定選択部８ｋの操作により、読取画像（読取画像データ）と、正解画像（正解画像データ）とを比較させ、異常となる領域と問題の種類とを特定して判定レベルが自動的に調整される。
【００２７】
次に、二次検品ＯＫモード選択部８ｂが操作された場合の処理について、図１０及び図１１を用いて説明する。図１０は、本開示の実施形態に係る表示部３６ａに表示される二次検品モードに含まれる二次検品ＯＫモードが選択された場合のユーザーインターフェースの一例を示す図である。図１１は、本開示の実施形態に係る表示例３６ａに表示される二次検品ＯＫモード時にＮＧ判定されたものからＯＫとしたい領域を選択させる状態のユーザーインターフェースの一例を示す図である。図１１に示すように、画像読取装置５により異常と判定された領域として、選択領域８ｆ１１と選択領域８ｆ１２とがハッチング表示されており、ＯＫとしたい領域が選択可能である。
【００２８】
図１２は、本開示の実施形態に係る表示部３６ａに表示される二次検品ＯＫモード時にＮＧ領域が選択されている状態のユーザーインターフェースの一例を示す図である。ここでは、ページを指定することにより画像形成時に画像読取装置５により読み取られた読取画像を取得可能である。なお、ＯＫ選択部８ｏのＯＫは、正常という意味ではなく、了承という意味である。図１３は、本開示の実施形態に係る表示部３６ａに表示される二次検品モードを適用するジョブの選択を受け付ける状態のユーザーインターフェースの一例を示す図である。図１３において、ジョブは印刷ジョブを意味する。図１３に示すように、複数の印刷ジョブから二次検品モードを適用するものを選択可能である。
【００２９】
図１４は、本開示の実施形態に係る画像形成装置１の制御例を説明するフローチャートである。ステップＳ１１において、制御部３０１は、二次検品モードが選択されたか否かを判定する。制御部３０１は、二次検品モードが選択されたと判定する場合（ステップＳ１１；Ｙ）、ステップＳ１２の処理に移行する。制御部３０１は、二次検品モードが選択されていないと判定する場合（ステップＳ１１；Ｎ）、ステップＳ１１の処理を継続する。ステップＳ１２において、制御部３０１は、二次検品ＮＧモードであるか否かを判定する。制御部３０１は、二次検品ＮＧモードであると判定する場合（ステップＳ１２；Ｙ）、ステップＳ１３の処理に移行し、ステップＳ１３において、二次検品ＮＧモード処理を実行し、ステップＳ１５の処理に移行する。なお、二次検品ＮＧモード処理の詳細は図１５を用いて説明する。制御部３０１は、二次検品ＮＧモードでないと判定する場合（ステップＳ１２；Ｎ）、ステップＳ１４の処理に移行し、ステップＳ１４において、二次検品ＯＫモード処理を実行し、ステップＳ１５の処理に移行する。なお、二次検品ＯＫモード処理の詳細は図１６を用いて説明する。ステップＳ１５において、制御部３０１は、シャットダウンが行われるか否かを判定する。制御部３０１は、シャットダウンが行われると判定する場合（ステップＳ１５；Ｙ）、処理を終了する。制御部３０１は、シャットダウンが行われないと判定する場合（ステップＳ１５；Ｎ）、ステップＳ１１の処理に戻る。
【００３０】
図１５は、本開示の実施形態に係る二次検品ＮＧモード処理を説明するフローチャートである。ステップＳ２１において、制御部３０１は、読取開始ボタンが操作されたか否かを判定する。制御部３０１は、読取開始ボタンが操作されたと判定する場合（ステップＳ２１；Ｙ）、ステップＳ２２の処理に移行する。制御部３０１は、読取開始ボタンが操作されていないと判定する場合（ステップＳ２１；Ｎ）、ステップＳ２１の処理を継続する。ステップＳ２２において、制御部３０１は、読取画像を表示させ、ステップＳ２３の処理に移行する。ステップＳ２３において、制御部３０１は、ＮＧと判定された領域が選択されたか否かを判定する。制御部３０１は、ＮＧと判定された領域が選択されたと判定する場合（ステップＳ２３；Ｙ）、ステップＳ２４の処理に移行する。制御部３０１は、ＮＧと判定された領域が選択されていないと判定する場合（ステップＳ２３；Ｎ）、ステップＳ２３の処理を継続する。ステップＳ２４において、制御部３０１は、問題の種類が選択されたか否かを判定する。制御部３０１は、問題の種類が選択されたと判定する場合（ステップＳ２４；Ｙ）、ステップＳ２５の処理に移行する。制御部３０１は、問題の種類が選択されていないと判定する場合（ステップＳ２４；Ｎ）、ステップＳ２４の処理を継続する。ステップＳ２５において、制御部３０１は、判定レベルが変更されたか否かを判定する。制御部３０１は、判定レベルが変更されたと判定する場合（ステップＳ２５；Ｙ）、ステップＳ２６の処理に移行する。制御部３０１は、判定レベルが変更されていないと判定する場合（ステップＳ２５；Ｎ）、ステップＳ２５の処理を継続する。ステップＳ２６において、制御部３０１は、ＮＧと判定された領域を強調表示させ、ステップＳ２７の処理に移行する。上記の一例では強調表示としてハッチング表示させたがそれに限定されず、例えば、表示色を変えてもよい。ステップＳ２７において、制御部３０１は、現在のページが最終ページであるか否かを判定する。制御部３０１は、現在のページが最終ページであると判定する場合（ステップＳ２７；Ｙ）、二次検品ＮＧモード処理を終了する。制御部３０１は、現在のページが最終ページでないと判定する場合（ステップＳ２７；Ｎ）、ステップＳ２８の処理に移行し、ステップＳ２８において、次ページを表示させ、ステップＳ２３の処理に戻る。
【００３１】
図１６は、本開示の実施形態に係る二次検品ＯＫモード処理を説明するフローチャートである。なお、ステップＳ４１、ステップＳ４２、ステップＳ４７及びステップＳ４８の処理は、ステップＳ２１、ステップＳ２２、ステップＳ２７及びステップＳ２８の処理と同様であるので、それらの説明は省略する。ステップＳ４３において、制御部３０１は、ＮＧと判定された領域を強調表示させ、ステップＳ４４の処理に移行する。ステップＳ４４において、制御部３０１は、ＮＧと判定された領域の中から選択されたか否かを判定する。制御部３０１は、ＮＧと判定された領域の中から選択されたと判定する場合（ステップＳ４４；Ｙ）、ステップＳ４５の処理に移行する。制御部３０１は、ＮＧと判定された領域の中から選択されていないと判定する場合（ステップＳ４４；Ｎ）、ステップＳ４４の処理を継続する。ステップＳ４５において、制御部３０１は、選択された領域に基づき判定レベルを自動変更し、ステップＳ４６の処理に移行する。ステップＳ４６において、制御部３０１は、自動変更した判定レベルに基づきＮＧと判定された領域を強調表示させ、ステップＳ４７の処理に移行する。
【００３２】
図１７は、本開示の実施形態に係る二次検品ＮＧモード処理の第１の変形例を説明するフローチャートである。なお、ステップＳ６１、ステップＳ６２及びステップＳ６６〜ステップＳ６８の処理は、ステップＳ２１、ステップＳ２２及びステップＳ２６〜ステップＳ２８の処理と同様であるので、それらの説明は省略する。ステップＳ６３において、制御部３０１は、ＮＧと判定された領域が選択されたか否かを判定する。制御部３０１は、ＮＧと判定された領域が選択されたと判定する場合（ステップＳ６３；Ｙ）、ステップＳ６４の処理に移行する。制御部３０１は、ＮＧと判定された領域が選択されていないと判定する場合（ステップＳ６３；Ｎ）、ステップＳ６３の処理を継続する。ステップＳ６４において、制御部３０１は、選択された領域に含まれる読取画像と、その読取画像に対応する正解画像とに基づき、問題の種類を自動的に選択し、ステップＳ６５の処理に移行する。ステップＳ６５において、制御部３０１は、問題の種類に対応する判定レベルを自動的に変更し、ステップＳ６６の処理に移行する。
【００３３】
例えば、印刷ジョブが１００ページからなるものである場合、現在表示されている読取画像に対応する正解画像は、１００ページ分の正解画像の中から読取画像との類似性が最も高いものを抽出することで取得可能である。自動判定した後、図７に示すようにハッチング表示等により強調表示させることで、ユーザーに判定レベルが適正になったことを報知させることができる。なお、自動的に決定した判定レベルを手動で調整できるようにしてもよい。
【００３４】
図１８は、本開示の実施形態に係る二次検品ＮＧモード処理の第２の変形例を説明するフローチャートである。図１８は、ＮＧ領域、問題の種類及び判定レベルの全てを自動的に決定する処理である。なお、ステップＳ８１及びステップＳ８２の処理は、ステップＳ２１及びステップＳ２２の処理と同様であるので、それらの説明は省略する。ステップＳ８３において、制御部３０１は、次ページが選択されたか否かを判定する。制御部３０１は、次ページが選択されたと判定する場合（ステップＳ８３；Ｙ）、ステップＳ８４の処理に移行する。制御部３０１は、次ページが選択されていないと判定する場合（ステップＳ８３；Ｎ）、ステップＳ８５の処理に移行する。ステップＳ８４において、制御部３０１は、次ページを表示させ、ステップＳ８３の処理に戻る。ステップＳ８５において、制御部３０１は、自動判定が選択されたか否かを判定する。制御部３０１は、自動判定が選択されたと判定する場合（ステップＳ８５；Ｙ）、ステップＳ８６の処理に移行する。制御部３０１は、自動判定が選択されていないと判定する場合（ステップＳ８５；Ｎ）、ステップＳ８５の処理を継続する。ステップＳ８６において、制御部３０１は、本ページに含まれる読取画像と、その読取画像に対応する正解画像とに基づき、ＮＧとなる領域を自動的に選択し、ステップＳ８７の処理に移行する。ステップＳ８７において、制御部３０１は、選択された領域に含まれる読取画像と、その読取画像に対応する正解画像とに基づき、問題の種類を自動的に選択し、ステップＳ８８の処理に移行する。ステップＳ８８において、制御部３０１は、問題の種類に対応する判定レベルを自動的に変更し、ステップＳ８９の処理に移行する。ステップＳ８９において、制御部３０１は、ＮＧと判定された領域を強調表示させ、ステップＳ９０の処理に移行する。ステップＳ９０において、制御部３０１は、現在のページが最終ページであるか否かを判定する。制御部３０１は、現在のページが最終ページであると判定する場合（ステップＳ９０；Ｙ）、二次検品ＮＧモード処理を終了する。制御部３０１は、現在のページが最終ページでないと判定する場合（ステップＳ９０；Ｎ）、ステップ８３の処理に戻る。
【００３５】
図１９は、本開示の実施形態に係る二次検品ＯＫモード処理の第３の変形例を説明するフローチャートである。図１９は、ユーザーに領域を選択させずに全てのＮＧ領域に基づいて判定レベルを自動的に決定する処理である。なお、ステップＳ１０１及びステップＳ１０２の処理は、ステップＳ２１及びステップＳ２２の処理と同様であるので、それらの説明は省略する。ステップＳ１０３において、制御部３０１は、ＮＧと判定された領域を強調表示させ、ステップＳ１０４の処理に移行する。ステップＳ１０４において、制御部３０１は、ＮＧと判定された領域ごとに判定レベルを自動変更し、ステップＳ１０５の処理に移行する。ステップＳ１０５において、制御部３０１は、自動変更した判定レベルに基づきＮＧと判定された領域を強調表示させ、ステップＳ１０６の処理に移行する。ステップＳ１０６において、制御部３０１は、現在のページが最終ページであるか否かを判定する。制御部３０１は、現在のページが最終ページであると判定する場合（ステップＳ１０６；Ｙ）、二次検品ＯＫモード処理を終了する。制御部３０１は、現在のページが最終ページでないと判定する場合（ステップＳ１０６；Ｎ）、ステップＳ１０７の処理に移行する。ステップＳ１０７において、制御部３０１は、次ページを表示させ、ステップＳ１０４の処理に戻る。
【００３６】
図２０は、本開示の実施形態に係る二次検品ＮＧモード処理の第４の変形例を説明するフローチャートである。図２０は、二次検品時に画像読取装置５によりシートＰ１の画像を読み取らせる代わりに一次検品時に読み取らせた読取画像のうちユーザーに指定させたページを表示させる処理である。ステップＳ１２１において、制御部３０１は、表示させるページが指定されたか否かを判定する。制御部３０１は、表示させるページが指定されたと判定する場合（ステップＳ１２１；Ｙ）、ステップＳ１２２の処理に移行する。制御部３０１は、表示させるページが指定されていないと判定する場合（ステップＳ１２１；Ｎ）、ステップＳ１２１の処理を継続する。ステップＳ１２２において、制御部３０１は、画像形成時に読み取られた画像形成時読取画像のうち指定されたページに対応するものを表示させ、ステップＳ１２３の処理に移行する。ステップＳ１２３において、制御部３０１は、ＮＧと判定された領域が選択されたか否かを判定する。制御部３０１は、ＮＧと判定された領域が選択されたと判定する場合（ステップＳ１２３；Ｙ）、ステップＳ１２４の処理に移行する。制御部３０１は、ＮＧと判定された領域が選択されていないと判定する場合（ステップＳ１２３；Ｎ）、ステップＳ１２３の処理を継続する。ステップＳ１２４において、制御部３０１は、問題の種類が選択されたか否かを判定する。制御部３０１は、問題の種類が選択されたと判定する場合（ステップＳ１２４；Ｙ）、ステップＳ１２５の処理に移行する。制御部３０１は、問題の種類が選択されていないと判定する場合（ステップＳ１２４；Ｎ）、ステップＳ１２４の処理を継続する。ステップＳ１２５において、制御部３０１は、判定レベルが変更されたか否かを判定する。制御部３０１は、判定レベルが変更されたと判定する場合（ステップＳ１２５；Ｙ）、ステップＳ１２６の処理に移行する。制御部３０１は、判定レベルが変更されていないと判定する場合（ステップＳ１２５；Ｎ）、ステップＳ１２５の処理を継続する。ステップＳ１２６において、制御部３０１は、ＮＧと判定された領域を強調表示させ、ステップＳ１２７の処理に移行する。ステップＳ１２７において、制御部３０１は、二次検品を終了させるか否かを判定する。制御部３０１は、二次検品を終了させると判定する場合（ステップＳ１２７；Ｙ）、二次検品ＮＧモード処理を終了する。制御部３０１は、二次検品を終了させないと判定する場合（ステップＳ１２７；Ｎ）、ステップＳ１２１の処理に戻る。
【００３７】
なお、付言すると、判定基準が変更された場合、それ以降に実行される全てのジョブに変更後の判定基準が適用されるが、変形例として以下のようなことが可能である。例えば、所定の印刷ジョブにつき、二次検品結果に応じて判定基準が変更される場合、それ以降に同様の所定の印刷ジョブが実行されれば変更後の判定基準が適用される。すなわち、ジョブで判定基準を特定できる。また、例えば、特定されたページにつき、二次検品結果に応じて判定基準が変更される場合、それ以降に所定の印刷ジョブが実行されれば特定されたページについて変更後の判定基準が適用される。すなわち、ジョブとページとで判定基準を特定できる。また、例えば、指定された領域につき、二次検品結果に応じて判定基準が変更される場合、それ以降に所定の印刷ジョブが実行されれば指定された領域について変更後の判定基準が適用される。すなわち、ジョブと領域とで判定基準を特定できる。
【００３８】
以上の説明から、本実施形態において、シートＰ１に画像を形成する画像形成装置本体３と、画像形成装置本体３の後段側に設けられ、画像形成装置本体３によりシートＰ１に形成された画像を読み取る画像読取装置５と、画像形成装置本体３及び画像読取装置５を制御する制御部３０１と、を備える画像形成装置１であって、制御部３０１は、画像読取装置５による画像の読取結果である読取画像の一次検品の判定基準をユーザーの目視による二次検品の二次検品結果に応じて変更する。よって、一次検品の一次検品結果が二次検品の二次検品結果に応じて変更される。したがって、一次検品と二次検品とで判定が異なったとしても、後に実行される印刷ジョブのために画像形成装置１に適正な判定基準をフィードバックすることができる。
【００３９】
また、本実施形態においては、ユーザーによる操作内容を受け付ける設定部３６、をさらに備え、制御部３０１は、一次検品の一次検品結果が正常と判定され、且つ二次検品結果が異常と判定されたものを設定部３６が受け付けた場合、判定基準を二次検品結果に合わせる。よって、一次検品結果が正常と誤判定された場合であっても二次検品結果に合わせて異常と判定されたものに対応した判定基準に合わせられる。したがって、誤判定の救済措置を実行することができる。
【００４０】
また、本実施形態においては、制御部３０１は、一次検品結果が異常と判定され、且つ二次検品結果が正常と判定されたものを設定部３６が受け付けた場合、判定基準を二次検品結果に合わせる。よって、一次検品結果が異常と誤判定された場合であっても二次検品結果に合わせて正常と判定されたものに対応した判定基準に合わせられる。したがって、誤判定の救済措置を実行することができる。
【００４１】
また、本実施形態においては、制御部３０１は、画像読取装置５により二次検品が行われたシートＰ１を読み取らせた読取結果に応じて、シートＰ１のうち二次検品結果のページを特定する。よって、多くのシートＰ１の中から特定のページを特定することができる。したがって、判定基準の変更を効率よく実行することができる。
【００４２】
また、本実施形態においては、画像形成装置本体３の上部に設けられ、シートＰ１に形成された画像を読み取る原稿画像走査装置３８ｂ、をさらに備え、制御部３０１は、原稿画像走査装置３８ｂにより二次検品が行われたシートＰ１を読み取らせた読取結果に応じて、シートＰ１のうち二次検品結果のページを特定する。よって、現在実行中の印刷ジョブに対応してシートＰ１に形成された画像の一次検品をしつつ、過去実行済みの印刷ジョブに対応してシートＰ１に形成された画像の二次検品の二次検品結果に応じて判定基準の変更をすることができる。
【００４３】
また、本実施形態においては、制御部３０１は、設定部３６により受け付けた操作内容に応じて、シートＰ１のうちページを特定する。よって、一次検品時の読取結果を読み込むこともできる。
【００４４】
また、本実施形態においては、制御部３０１は、画像形成装置本体３によりシートＰ１に形成された画像が画像読取装置５により読み取られている場合、原稿画像走査装置３８ｂによりシートＰ１のうちページを特定する。よって、現在実行中の印刷ジョブに対応してシートＰ１に形成された画像の一次検品をしつつ、過去実行済みの印刷ジョブに対応してシートＰ１に形成された画像の二次検品の二次検品結果に応じて判定基準の変更をすることができる。
【００４５】
また、本実施形態においては、制御部３０１は、画像形成装置本体３によりシートＰ１に形成された画像が画像読取装置５により読み取られている場合、設定部３６によりシートＰ１のうちページを特定する。よって、現在実行中の印刷ジョブに対応してシートＰ１に形成された画像の一次検品をしつつ、過去実行済みの印刷ジョブに対応してシートＰ１に形成された画像の二次検品の二次検品結果に応じて判定基準の変更をすることができる。
【００４６】
また、本実施形態においては、制御部３０１は、画像形成装置本体３によりシートＰ１に形成された画像が画像読取装置５により読み取られていない場合、画像読取装置５によりシートＰ１のうちページを特定する。よって、印刷出力時に近い条件でシートＰ１に形成された画像を読み取ることができる。したがって、二次検品の二次検品結果を正確に反映させることができる。
【００４７】
また、本実施形態においては、制御部３０１は、設定部３６により受け付けた操作内容に判定基準を二次検品結果に応じて変更する処理が設定時間で実行される内容が含まれている場合、設定時間に判定基準を二次検品結果に応じて変更する。よって、設定時間になるまでは印刷ジョブを実行させ、設定時間になってからは二次検品結果に応じて判定基準を変更する処理を実行させることができる。したがって、画像形成装置１のハードウェア資源を有効活用することができる。
【００４８】
また、本実施形態においては、設定部３６は、二次検品結果に該当する画像に対応する領域及び問題の種類の少なくとも一方を受け付ける。よって、二次検品結果の詳細を特定することができる。
【００４９】
また、本実施形態においては、設定部３６は、一次検品結果で異常と判定された画像を含む領域を、一次検品結果で正常と判定された画像を含む領域とは異なる態様で表示させる。よって、一次検品と二次検品とで判定が異なっていることをユーザーに直感的に報知することができる。
【００５０】
また、本実施形態においては、設定部３６は、判定基準として、問題の種類に対応する判定レベルの変更を受け付ける。よって、判定レベルを変更することにより判定基準を容易に変更することができる。
【００５１】
また、本実施形態においては、設定部３６は、一次検品結果で正常と判定された画像を含む領域を判定レベルの変更に応じたものに変更する。よって、判定レベルの変更により一次検品結果が正常から異常に変わったとしても、判定レベルの変更に応じて一次検品結果で正常と判定された画像が再度判定されることになるので、判定レベルが変更されたことをユーザーに直感的に報知することができる。
【００５２】
また、本実施形態においては、制御部３０１は、設定部３６により受け付けられた印刷ジョブによりシートＰ１に形成された画像の画像読取装置５による読取画像につき、判定基準を二次検品結果に応じて変更する。よって、印刷ジョブごとに判定基準を変更することができる。
【００５３】
また、本実施形態においては、制御部３０１は、一次検品を実行する場合、印刷ジョブと、判定基準とを関連付ける。よって、二次検品結果に応じて判定基準を変更する場合、印刷ジョブと関連付けて判定基準を変更することができる。
【００５４】
以上、本開示に係る画像形成装置１を実施形態に基づいて説明したが、本開示はこれに限定されるものではなく、本開示の趣旨を逸脱しない範囲で、変更を加えてもよい。
【００５５】
例えば、本実施形態においては、パージトレイ６４にヤレ紙Ｐ＿Ｆを排出する一例について説明したが、特にこれに限定されるものではない。例えば、メイントレイ７４＿２にヤレ紙Ｐ＿Ｆを排出してもよい。また、給紙経路４２がペーパーインサーター４に設けられている一例について説明したが、特にこれに限定されるものではない。給紙経路４２は、画像形成部３４を迂回して設けられていればよいため、画像形成装置本体３内部に設けられていてもよい。
【符号の説明】
【００５６】
１  画像形成装置
３  画像形成装置本体、３１  給紙部、３２  搬送経路、３３  循環経路
３４  画像形成部、３４ａ  帯電装置、３４ｂ  露光装置、３４ｃ  現像装置
３４ｄ  感光体、３４ｅ  中間転写ベルト、３４ｆ  二次転写ローラー
３４ｇ  ドラムクリーニング装置、３５  定着部
３６  設定部、３６ａ  表示部、３６ｂ  操作部、３７  搬送ローラー
３８ａ  自動原稿給紙装置、３８ｂ  原稿画像走査装置
３０１  制御部
３０１ａ  ジョブ制御部、３０１ｂ  エンジン制御部、３０１ｃ  読取画像取得部
３０１ｄ  ユーザー検品結果受付部、３０１ｅ  閾値制御部
４  ペーパーインサーター、４１  給紙トレイ、４２  給紙経路、４３  搬送経路
４４  搬送ローラー、４０１  制御部
５  画像読取装置、５０  検品部、５１  搬送経路、５２  搬送ローラー
５４，５４Ａ，５４Ｂ  背景部材、５６  スキャナー部
５６Ａ  第１のスキャナー、５６Ｂ  第２のスキャナー
５８  第１の温度検知部、５９，５９Ａ，５９Ｂ  第２の温度検知部、５０１  制御部
６  排紙装置、６１，６１ａ〜６１ｃ  搬送経路、６２  搬送ローラー
６４  パージトレイ、６０１  制御部
７  排紙装置、７１  排紙経路、７２  排紙ローラー、７３  駆動部
７４，７４＿１，７４＿２  メイントレイ、７０１  制御部
８ａ  二次検品ＮＧモード選択部、８ｂ  二次検品ＯＫモード選択部
８ｃ  片面選択部、８ｄ  両面選択部、８ｅ  読取開始選択部
８ｆ  読取画像表示領域、８ｆ１，８ｆ１１，８ｆ１２  選択領域
８ｇ  問題種類選択部
８ｈ  判定レベル調整部、８ｉ  表示画面次ページ選択部、８ｊ  自動決定選択部
８ｋ  自動判定選択部、８ｍ  前ページ検索部、８ｎ  次ページ検索部
８ｏ  ＯＫ選択部
Ｐ１  シート、Ｐ２  印刷物、Ｐ＿Ｆ  ヤレ紙、Ｐ＿Ｔ  正常紙、Ｋ  搬送方向
【図１】
2020184687.tif 000003
【図２】
2020184687.tif 000004
【図３】
2020184687.tif 000005
【図４】
2020184687.tif 000006
【図５】
2020184687.tif 000007
【図６】
2020184687.tif 000008
【図７】
2020184687.tif 000009
【図８】
2020184687.tif 000010
【図９】
2020184687.tif 000011
【図１０】
2020184687.tif 000012
【図１１】
2020184687.tif 000013
【図１２】
2020184687.tif 000014
【図１３】
2020184687.tif 000015
【図１４】
2020184687.tif 000016
【図１５】
2020184687.tif 000017
【図１６】
2020184687.tif 000018
【図１７】
2020184687.tif 000019
【図１８】
2020184687.tif 000020
【図１９】
2020184687.tif 000021
【図２０】
2020184687.tif 000022